(57)【要約】【課題】コンクリートスラブに設けられた仮の開口を通過する運搬かごに生じることがある横揺れの低減に寄与する養生柵を提供すること。【解決手段】建設途上にある建物のコンクリートスラブ（１２）に設けられた仮の開口（１４）に適用される養生柵（１０）を開示する。養生柵は、コンクリートスラブ上に載置され上下方向へ伸びる筒状体（３６）と、筒状体の内部に配置された複数の案内部材（４８）とを備える。筒状体は仮の開口を通して昇降される運搬かご（１６）の通過を許し、また、各段の複数の案内部材は弾性変形可能であり、筒状体内を通過する運搬かごに対する案内作用をなす。【選択図】図１
2020026655.tif 000002
【特許請求の範囲】
【請求項１】
建設途上にある建物のコンクリートスラブに設けられた仮の開口に適用される養生柵であって、
前記コンクリートスラブ上に載置され上下方向へ伸びる筒状体であって前記仮の開口を通して昇降される運搬かごの通過を許す筒状体と、
前記筒状体の内部に配置され、前記筒状体内を通過する前記運搬かごに対する案内作用をなす複数の弾性変形可能の案内部材とを備える、養生柵。
【請求項２】
前記複数の案内部材は前記筒状体の内部に複数段に配置されている、請求項１に記載の養生柵。
【請求項３】
前記筒状体は前記仮の開口を貫通するように前記コンクリートスラブ上に載置される、請求項１又は２に記載の養生柵。
【請求項４】
前記筒状体は、上方に向けて末広がりに広がる複数のテーパ面を有する上端部、下方に向けて末広がりに広がる複数のテーパ面を有する下端部、又は、前記上端部及び前記下端部の双方を備える、請求項1又は２に記載の養生柵。
【請求項５】
前記仮の開口は矩形の平面形状を有し、また、前記筒状体及び前記運搬かごはそれぞれ矩形の横断面形状を有し、
各段の複数の案内部材は、前記筒状体の横断面形状である前記矩形の四隅の近傍に配置され前記筒状体の横断面と平行に伸びかつ互いに直交する４対の矩形状の平板からなる、請求項１〜４のいずれか1項に記載の養生柵。
【請求項６】
前記案内部材は硬質ウレタンフォームからなる、請求項１〜５のいずれか１項に記載の養生柵。
【発明の詳細な説明】
【技術分野】
【０００１】
本発明は、建設途上にあるコンクリート建築物の床スラブ（コンクリートスラブ）に形成された仮の開口に適用される養生柵に関する。
【背景技術】
【０００２】
従来、コンクリートスラブに設けられた仮の開口の養生のためにコンクリートスラブ上に設置される養生蓋が提案されている。この養生蓋は、仮の開口の周囲を取り囲む枠部材と、該枠部材に揺動可能に取り付けられた互いに相対する２つのフラップとを備える（後記特許文献１参照）。
【０００３】
これによれば、２つのフラップを揺動させこれらを直立状態にして仮の開口を開放することにより、仮の開口を通して、運搬かごを昇降させることができる。運搬かごの使用により、養生蓋が設置されたコンクリートスラブを床とする階（作業階）の下方に位置する階（下階）において例えば梁や天井の形成に使用された支保工のような仮設材の再使用のためにこれらの仮設材を作業階の上方の階（上階）のコンクリートスラブ上に移送することができる。また、２つのフラップを揺動させこれらを水平状態にして仮の開口を閉鎖することにより、作業階のコンクリートスラブ上での作業や移動時おける仮の開口からの作業者や物の落下を防止することができる。
【０００４】
ところで、運搬かごは、通常、上階に設置されたウインチのような昇降装置と該昇降装置に掛けられたロープのような索とを介して昇降可能に吊り下げられている。このため、昇降中の運搬かごに横揺れが生じることがあり、横揺れのために運搬かごが前記仮の開口の周縁に当たりこれに損傷を与えるおそれがある。
【先行技術文献】
【特許文献】
【０００５】
【特許文献１】実開平５−１７００５号公報
【発明の概要】
【発明が解決しようとする課題】
【０００６】
本発明は、前記従来の事情に鑑み、コンクリートスラブに設けられた仮の開口を通過する運搬かごに生じることがある横揺れの低減に寄与する養生柵を提供する。
【課題を解決するための手段】
【０００７】
本発明は、建設途上にある建物のコンクリートスラブに設けられた仮の開口に適用される養生柵に係る。この養生柵は、前記コンクリートスラブ上に載置され上下方向へ伸びる筒状体と、該筒状体の内部に配置された複数の案内部材とを備える。前記筒状体は前記仮の開口を通して昇降される運搬かごの通過を許し、また、複数の案内部材は弾性変形可能であり、前記筒状体内を通過する運搬かごに対する案内作用をなす。前記案内部材は、例えば硬質ウレタンフォームからなる。
【０００８】
本発明によれば、コンクリートスラブの仮の開口を上昇し又は下降する運搬かごは、通常、前記コンクリートスラブ上に設置された養生柵の筒状体を通過するとき、前記筒状体内に配置された複数の案内部材による案内作用を受けて、鉛直状態の姿勢を維持される。
【０００９】
また、前記運搬かごに横揺れが生じ、このために前記運搬かごが鉛直状態の姿勢のまま横に振れ、あるいは斜めに傾斜した状態の姿勢で横に振れるとき、前記運搬かごは前記案内部材による次のような案内作用を受け、前記運搬かごの振れが減衰される。まず、前記運搬かごは、前記筒状体内を通過するとき、前記複数の案内部材の一部に突き当たる。これにより前記複数の案内部材の一部が弾性変形し、前記運搬かごの横揺れのエネルギの一部が吸収される。次いで、前記運搬かごは、複数の案内部材の一部の弾性変形に引き続く弾性復帰力を受けて、反対方向へ揺り戻される。これにより、又は、前記複数の案内部材の他の一部へのさらなる突き当たり及び該他の一部の案内部材の弾性復帰力を受けて、あるいは、さらに前記複数の案内部材の一部及び他の一部に対する突き当たりの繰り返しの後、前記運搬かごの振れ幅が低減され、その横揺れが解消される。その結果、前記運搬かごの前記仮の開口の周縁に対する突き当たりの機会及びこれに伴う損傷の発生が回避されあるいは大幅に低減される。
【００１０】
前記複数の案内部材は、好ましくは、前記筒状体の内部に複数段に配置されている。これによれば、横揺れをする前記運搬かごはその上下の複数箇所における前記複数段の複数の案内部材の一部への突き当たり、あるいは、さらなる前記複数段の複数の案内部材の他の一部への突き当たりにより、その振れがより効果的に、また、より迅速に減衰される。
【００１１】
また、前記コンクリートスラブ上に載置される前記筒状体は前記コンクリートスラブの仮の開口の周縁に沿って伸びる囲いである柵を形成する。これにより、前記仮の開口から下階への作業者や物の落下の危険が防止され、また、前記運搬かごに対する作業者の接触の危険が回避される。
【００１２】
前記筒状体は前記仮の開口を貫通するように前記コンクリートスラブ上に載置することができる。これによれば、前記仮の開口を貫通する筒状体が前記仮の開口の周壁を防護することから、前記養生柵による前記仮の開口の周縁の保護をより一層向上させることができる。
【００１３】
前記筒状体は、上方に向けて末広がりに広がる複数のテーパ面を有する上端部を備えるものとすることができる。これによれば、前記テーパ面が、前記コンクリートスラブの仮の開口に向けて下降する前記運搬かごに対して、前記運搬かごが前記筒状体内に受け入れられるように案内する働きをなす。
【００１４】
また、前記筒状体は、下方に向けて末広がりに広がる複数のテーパ面を有する下端部を備えるものとすることができる。これによれば、前記テーパ面が、前記コンクリートスラブの仮の開口に向けて上昇する前記運搬かごに対して、前記運搬かごが前記筒状体内に受け入れられるように案内する働きをなす。あるいは、また、前記筒状体は前記上端部及び下端部の双方を備えるものとすることができる。
【００１５】
前記仮の開口は矩形の平面形状を有し、また、前記筒状体及び前記運搬かごはそれぞれ矩形の横断面形状を有し、各段の複数の案内部材は、前記筒状体の横断面形状である前記矩形の四隅に配置され前記筒状体の横断面と平行に伸びかつ互いに直交する４対の矩形状の平板からなるものとすることができる。これによれば、各案内部材は、前記筒状体内を上昇または下降する前記運搬かごの突き当たりを受けるとき、上方又は下方に向けて湾曲するように弾性変形し、また、平坦な状態に弾性復帰する。
【図面の簡単な説明】
【００１６】
【図１】養生柵の正面図である。
【図２】養生柵の右側面図である。
【図３】養生柵の平面図である。
【図４】運搬かごの一例を示す斜視図である。
【図５】他の例に係る養生柵の正面図である。
【図６】他の例に係る養生柵の右側面図である。
【発明を実施するための形態】
【００１７】
図１〜図３を参照すると、本発明の実施形態に係る養生柵が全体に符号１０で示されている。
【００１８】
養生柵１０は、建設途上にあるコンクリート造の建物の床スラブ（コンクリートスラブ）１２に形成された仮の開口１４の養生のために床スラブ１２上に設置される。図示の仮の開口１４は矩形（具体的には一対の長辺及び一対の短辺を有する長方形）の平面形状を有する。仮の開口１４は、主として、該仮の開口を通して運搬かご１６を昇降するために設けられている。運搬かご１６を介して、養生柵１０が設置された床スラブ１２を床とする階（作業階）の下方に位置する階（下階）の梁や床スラブの形成に使用された支保工のような仮設材（図示せず）が形成予定の上方の階（上階）に向けて移送される。
【００１９】
運搬かご１６は、前記上階に設置されたウインチのような昇降装置（図示せず）とこれに掛けられたロープのような索（図示せず）とを介して昇降可能に吊り下げられている。運搬かご１６の一例を図４に示す。
【００２０】
図４に示す運搬かご１６は、全体に上下方向に細長い直方体の形状したがって矩形の横断面形状を有する。運搬かご１６は、矩形状の底板１８と、底板１８に固定され上方に伸びる互いに相対する一対の側板２０とを有する。運搬かご１６は、また、その正面及び背面をそれぞれ規定する複数（図示の例において３つ）の横棒２４、２６、２８及び複数（図示の例において３つ）の横棒３０を有する。これらの横棒のうちの最上方に位置する２つの横棒２４、３０が両側板２０と共同して底板１８に相対する矩形状の開放頂面を規定する。前記正面を規定する上方の両横棒２４、２６間と、下方の横棒２８及び底板１８間とには、それぞれ、前記正面を規定するネット３２、３４が取り付けられている。これによれば、前記正面の側から、横棒２６、２８間を通して運搬かご１６内に荷物を差し入れ、底板１８上に載置することができる。
【００２１】
養生柵１０は筒状体３６を備える。筒状体３６は養生柵１０の設置のために床スラブ１２上に載置される。より詳細には、筒状体３６は仮の開口１４の上方に位置するように、あるいは、図５及び図６に示すようにまた後述するように筒状体３６が仮の開口１４を貫通するように、床スラブ１２上に載置される。床スラブ１２上に載置された筒状体３６は上下方向へ伸び、運搬かご１６の通過を許す。図示の筒状体３６は、前記直方体の形状を有する運搬かご１６の通過を許す矩形の横断面形状を有し、上方及び下方に開放している。
【００２２】
図示の筒状体３６は、主として、その横断面形状である前記矩形の四隅をそれぞれ上下方向へ伸びる４つの縦部材３８と、上下方向に互いに間隔をおいて上中下の３段に配置され４つの縦部材３８の周囲を前記矩形の四辺に沿ってそれぞれ水平に伸びる４つで１組をなす全部で３組の横部材４０、４２、４４とにより形成されている。４つの縦部材３８は３組の横部材４０、４２、４４により互いに連結されている。また、図示の筒状体３６は、各縦部材３８の下端部に取り付けられた一対のブラケット４５を介して床スラブ１２上に載置され、これにより仮の開口１４の上方に位置する。
【００２３】
図示の縦部材３８及び横部材４０、４２、４４は、それぞれ、養生柵１０の設置作業及び運搬作業の容易化に資するように、比較的軽量であるアルミニウム製のアングル材で構成されている。また、筒状体３６の分解及び再組立を可能とし、これにより養生柵１０の運搬及び設置を容易にすべく、各組の横部材４０、４２、４４は４つのボルト及び該ボルトに螺合されたナットの組立体４６を介して４つの縦部材３８にそれぞれ固定されている。
【００２４】
養生柵１０は、さらに、弾性変形可能である例えば硬質ウレタンフォームからなる複数の案内部材４８を備える。これらの案内部材４８は筒状体３６の内部に複数段（図示の例にあっては２段）に配置され、筒状体３６を通過する運搬かご１６に対する案内作用をなす。図示の例に代えて、複数の案内部材４８を３以上の複数段のそれぞれに配置し、あるいは、１つの段（単段）にのみ配置することができる。
【００２５】
図示の例において、各案内部材４８は矩形の平面形状を有する平板からなり（以下、必要に応じて前記平板に符号４８を付して説明を行う。）、４対の平板４８が、各段において、筒状体３６の横断面形状である前記矩形の四隅の近傍に配置されている。より詳細には、４対の平板４８が中段の１組の横部材４２上に配置され、また、他の４対の平板４８が下段の１組の横部材４４上に配置されている。各対の平板４８は、筒状体３６の横断面と平行に伸びかつ互いに直交している。
【００２６】
前記中段における各対の２つの平板４８は、互いに隣接する横部材４２に該横部材に沿ってそれぞれ伸びる細長い２つの押さえ板５０を介して固定されている。同様に、前記下段における各対の２つの平板４８は、互いに隣接する横部材４４に該横部材沿ってそれぞれ伸びる細長い２つの押さえ板５２を介して固定されている。各押さえ板５０、５２は、それぞれ、２つのボルト及びこれに螺合されたナットの組立体５５を介して、各横部材４２、４４に締結されている。
【００２７】
前記中段の４対の平板４８及び前記下段の４対の平板４８は、それぞれ、運搬かご１６の横断面である矩形の４つのコーナーに対する４つの入隅を形成する（図３参照）。これらの入隅は、上下方向に伸びる筒状体３６の内部に、運搬かご１６を鉛直状態で移動するための案内路を規定する。
【００２８】
案内かご１６がこれに生じた横揺れのために鉛直状態の姿勢のまま横に振れ、あるいは斜めに傾斜した状態の姿勢で横に振れると、筒状体３６内を移動（上昇又は下降）する運搬かご１６は、その上下の箇所において、前記中段の４対の平板４８の一部及び下段の４対の平板４８の一部にそれぞれ突き当たる。これにより、これらの中下両段の平板４８の一部が弾性変形し、運搬かご１６の横揺れのエネルギの一部が吸収される。次いで、運搬かご１６は、前記弾性変形に引き続く中下両段の平板４８の一部の弾性復帰力を受けて、反対方向へ揺り戻される。これにより、あるいは、中下両段の平板４８の他の一部へのさらなる突き当たりと該他の一部の平板４８の弾性復帰とにより、あるいは、また、中下両段の平板４８の一部及び他の一部に対する突き当たりと弾性復帰との繰り返しの後、運搬かご１６の横揺れが解消される。その結果、仮の開口１４の周縁に対する運搬かご１６の突き当たりの機会及びこれに伴う損傷の発生が回避されあるいは大幅に低減される。
【００２９】
なお、複数の平板４８が単段にのみ配置されるときは、運搬かご１６は一の高さ位置において、複数の平板４８の案内作用を受ける。また、前記複数段のそれぞれに配置される複数の案内部材４８、あるいは、前記単段に配置される複数の案内部材４８は、図示の平板に代えて、例えばブロック状を呈する弾性体からなるものとすることができる。また、例えば４つの弾性体を各段の４つの横部材４２、４４に互いに相対するように配置することができる。さらに、前記４つの弾性体は、例えば各横部材４２、４４の長さ方向における中央位置に配置することができる。
【００３０】
床スラブ１２上に載置された筒状体３６は、また、床スラブ１２の仮の開口１４の周縁に沿って伸びる囲いである柵を作る。この柵が、仮の開口１４から下階への作業者や物の落下の危険を防止し、また、前記柵は運搬かご１６に対する作業者の接触の危険回避に役立つ。このような危険防止及び危険回避の効果をより高めるため、筒状体３６の横断面形状である矩形の大きさについて、仮の開口１４の矩形の大きさより小さい図示の例に代えて、より大きいものとすることができる。これによれば、筒状体３６が、床スラブ１２上において、仮の開口１４の周囲を取り囲むようにすることができる。
【００３１】
次に、図５及び図６を参照すると、中段の横部材４２と下段の横部材４４との間の高さ位置において４つの縦部材３８にそれぞれ取り付けられた４対のブラケット４５を介して、筒状体３６が床スラブ１２上に載置され、筒状体３６は仮の開口１４を貫通している。図示の例にあっては、筒状体３６の下段の横部材４４が仮の開口１４内に位置し、また、４つの縦部材３８の下端部３８ａが仮の開口１４を経て該開口の下方へ伸びている。この例にあっては、筒状体３６、より詳細には筒状体３６の下端部をなす４つの縦部材３８の下端部３８ａが仮の開口１４の周壁を防護する。これにより、養生柵１０による仮の開口１４の周縁保護のより一層の向上が図られる。
【００３２】
好ましくは、筒状体３６は、上方に向けて末広がりに広がる複数のテーパ面を有する上端部３６ａを備える。図示の例にあっては、筒状体３６の上段の４つの横部材４０上にそれぞれ配置された４つの細長い板片５３がそれぞれ前記したテーパ面５４を規定する。各板片５３は複数（図示の例において４つ）のＶ形に折れ曲がる支持板５６を介して各横部材４０上に支持されている。また、各支持板５６はボルト及び該ボルトに螺合されたナットの組立体５８により、横部材４０に締結されている。これらのテーパ面５４は、床スラブ１２の仮の開口１４に向けて下降する運搬かご１６に対して、該運搬かごが筒状体３６内に受け入れられるように案内する働きをなす。
【００３３】
また、好ましくは、筒状体３６は、下方に向けて末広がりに広がる複数のテーパ面を有する下端部を備える。図示の例にあっては、筒状体３６の下端部を構成する４つの縦部材３８の下端部３８ａが、それぞれ、下方に向けて末広がりに広がる４つのテーパ面５１を有する。これらのテーパ面５１は、床スラブ１２の仮の開口１４に向けて上昇する運搬かご１６に対して、該運搬かごが筒状体３６内に受け入れられるように案内する働きをなす。
【００３４】
さらに、好ましくは、筒状体３６は上方に向けて末広がりに広がる複数のテーパ面を有する上端部３６ａ及び下方に向けて末広がりに広がる複数のテーパ面を有する下端部３８ａの双方を有する。
【符号の説明】
【００３５】
１０  養生柵
１２  床スラブ（コンクリートスラブ）
１４  仮の開口
１６  運搬かご
３６  筒状体
３８  縦部材
４０、４２、４４  横部材
４８  弾性変形可能の案内部材（平板）
５１  テーパ面
５４  テーパ面
【図１】
2020026655.tif 000003
【図２】
2020026655.tif 000004
【図３】
2020026655.tif 000005
【図４】
2020026655.tif 000006
【図５】
2020026655.tif 000007
【図６】
2020026655.tif 000008